(57)【特許請求の範囲】
【請求項１】
適宜間隔をおいて複数立設された支柱、および前記支柱間に縦方向に連設された複数枚のパネルからなる塀であって、前記パネルはパネル本体およびその枠体からなるとともに、前記枠体は左右の縦枠材と上下の横枠材を備え、前記上下横枠材は同一形状であり、下横枠材は上横枠材をその長手方向の中心軸線を中心に１８０度回転して利用したものであって、左右の縦枠材は、前後に間隔をあけて対向配置した２個の側板によって、前記支柱と対向する外周面に支柱方向に開放する断面コ字状の支柱係合部が形成され、前記支柱はフランジ部を形成したパネル保持部が設けられ、縦枠材の前記支柱係合部の側板が支柱の前記パネル保持部のフランジ部に外嵌合されるとともに、固定金具によって前記側板がフランジ部に固定されていることを特徴とする塀。
【請求項２】
前記横枠材には、外周面の長手方向にわたって少なくとも１つの突条部および凹条部を形成して、連設されるパネルの枠体と当接、係合する係合部となし、これによって連設される下側パネルの上横枠材の凹条部と突条部が、それぞれ上側パネルの下横枠材の突条部と凹条部とに当接係合していることを特徴とする請求項１に記載の塀。
【請求項３】
係合部を、前記横枠材の外周面の長手方向にわたって厚み方向半分を略Ｌ字型に切り欠いて凹条部を形成することにより他方の半分に突条部を形成した略階段状の段差形状とし
、これにより連設される下側パネルの上横枠材の凹条部と上側パネルの下横枠材の突条部とが当接し、下側パネルの上横枠材の突条部と上側パネルの下横枠材の凹条部とが当接して上下パネルが係合するようにしたことを特徴とする請求項２に記載の塀。
【請求項４】
突条部と凹条部との中間部に傾斜部を設けたことを特徴とする請求項３に記載の塀。
【発明の詳細な説明】
【技術分野】
【０００１】
本発明は、複数のパネルを縦方向に連設してなる目隠し塀、防音塀など、各種の塀に関するものである。
【背景技術】
【０００２】
塀やフェンス等については、地上に立設した複数の支柱間にパネルを配設して形成されるものが多くある。このような塀やフェンス等において、複数のパネルを縦方向に連設する構造のものについては、パネルを下から順に支柱間に配設してゆき、最上段のパネルを積み上げた後に、各種金具その他の固定手段によって各パネルを支柱に固定する。この間、すなわち最終的に前記固定手段によりパネルを支柱に固定するまでのあいだ、上下パネル間を一時的に係止させておく必要がある。
【０００３】
このとき、連設される下側パネルの上端部および上側パネルの下端部の当接する面が単に平面形状であると、上側のパネルを載せただけの段階では、上下パネル間の係止状態が安定せず、スムーズな施工の妨げとなる。その対応策として、何らかの仮留め手段を施すことが考えられるが、工程が増えるため非常に煩雑で、施工に余計な時間を要することとなる。また、このようなパネルでは、施工を完了した後でも施工状態次第によっては上下パネル間に隙間ができる可能性がある。この隙間が、目隠し塀や防音塀等においては、目隠し性能あるいは防音性能を著しく損ねることになり不都合である、という問題点があった。
【０００４】
これらの問題点への対応として、連設するパネルの上下横枠材の形状を工夫したものがある。例えば、特許文献１または２に記載の発明のように、パネル上下いずれかの枠材に凹部を形成するとともに、他方の枠体に凸部を設けたパネル上下横枠材の構造がよく知られている。これによれば、連接する上下パネルの凹凸部が嵌合して、施工時のパネル係止状態が安定するとともに、施工完成後も上下パネル間にすきまが生じにくくなる。
【特許文献１】特開平１１−１０７４１３号公報
【特許文献２】特開２００３−５６２１３号公報
【発明の開示】
【発明が解決しようとする課題】
【０００５】
しかしながら、前記凹凸構造を用いる場合、上下の枠材をその構成要素とするパネルにおいては、当該上下の枠材をそれぞれ別形状の枠材として別個に作製しなければならない。そうすると、製造にかかるコストが高くなってしまうという問題がある。
【０００６】
本発明は、上記のような問題点を克服するためのものであって、非常に簡単なパネル枠材の構造により安全かつスムーズな塀の施工を確保でき、また、施工完了後も上下パネル間のすきまが生じることのない塀を提供することを目的とする。
【０００７】
また、本発明は、同一形状の横枠材でパネルの上下いずれの横枠材としても使用でるようにすることによって、製造コスト面でも有利な塀を提供することを目的とする。
【課題を解決するための手段】
【０００８】
上記の目的を達成するため、本願発明の塀は、適宜間隔をおいて複数立設された支柱、および前記支柱間に縦方向に連設された複数枚のパネルからなる塀であって、前記パネルはパネル本体およびその枠体からなるとともに、前記枠体は左右の縦枠材と上下の横枠材を備え、前記上下横枠材は同一形状であり、下横枠材は上横枠材をその長手方向の中心軸線を中心に１８０度回転して利用したものであって、左右の縦枠材は、前後に間隔をあけて対向配置した２個の側板によって、前記支柱と対向する外周面に支柱方向に開放する断面コ字状の支柱係合部が形成され、前記支柱はフランジ部を形成したパネル保持部が設けられ、縦枠材の前記支柱係合部の側板が支柱の前記パネル保持部のフランジ部に外嵌合されるとともに、固定金具によって前記側板がフランジ部に固定されていることを特徴とする。また、本願発明の塀において、前記横枠材には、外周面の長手方向にわたって少なくとも１つの突条部および凹条部を形成して、連設されるパネルの枠体と当接、係合する係合部となし、これによって連設される下側パネルの上横枠材の凹条部と突条部が、それぞれ上側パネルの下横枠材の突条部と凹条部とに当接係合するものとしてもよい。
【０００９】
本発明によれば、当該パネル上下横枠材の簡単な構造により施工中の上下パネル間の係止状態を安定させることが出来、かつ、同一形状の枠材を上下横枠材のいずれにも用いることができるので製造コスト面でも有利となる。また、上下横枠材に凹条部および突条部を設けたことによって、連設される上下パネル間にすきまが生じにくいので、塀の目隠し性能や防音性能が向上する。
【００１０】
前記係合部は、上下同一形状となるものであれば、どのような形状でも良い。当該係合部が単純な形状であれば、パネル配設の作業がより簡単になり、逆に複雑な形状とすれば、上下パネルの係止状態をより安定させることが可能となる。
【００１１】
また、前記係合部は、前記横枠材の外周面の長手方向全長にわたって厚み方向半分を略Ｌ字型に切り欠いて凹条部を形成することにより他方の半分に突条部を形成した略階段状の段差形状とし、これにより連設される下側パネルの上横枠材の凹条部と上側パネルの下横枠材の突条部とが当接し、下側パネルの上横枠材の突条部と上側パネルの下横枠材の凹条部とが当接して上下パネルが係合するようにするのが好ましい。
【００１２】
このようにすれば、係合部が極めて単純な形状となるため、パネルの配設が非常に容易になり、スムーズな塀の施工が可能となる。
【００１３】
さらに、前記突条部と凹条部との中間部に傾斜部を設けるのが好ましい。
【００１４】
このようにすれば、パネルを連設する際、下側パネルの上横枠材の傾斜部と上側パネルの下横枠材の傾斜部とが当接するので、パネルの配設がよりスムーズかつ安全に行えるようになる。すなわち、傾斜部が、斜面形状を有しかつ厚み方向に一定の幅を有することによって、既に配設された下側のパネルが厚み方向に多少傾いていても、当該傾斜部と、連設される上側パネルの傾斜部とが当接して相互に摺動することにより、最終的に上横枠材の凹条部と突条部が、それぞれ下横枠材の突条部と凹条部に当接、係合して上下パネルがスムーズに連設される。
【００１５】
また、前記支柱のパネルと対向する面に、配設されるパネルと係合してパネルの厚み方向への動きを制限するパネル保持部を形成するのが好ましい。
【００１６】
このようにすれば、パネルの配設時において、前記パネル保持部が配設されたパネルの厚み方向の動きを制限するので、パネル上下横枠材の係合部の形状をより単純なものとしても、連設するパネルの係止状態を安定させることができる。
【発明の効果】
【００２１】
本発明の塀によれば、非常に簡単なパネル上下横枠材の構造により、安全かつスムーズな施工を確保でき、また、施工完了後も上下パネル間のすきまが生じることのない塀を提供することができる。
【００２２】
また、本発明の塀におけるパネル用上下横枠材は、当該上下横枠材を上下兼用の枠材で構成しているため、安価な塀を提供することができ、コスト面でも有利となる。
【発明を実施するための最良の形態】
【００２３】
以下、本発明に係る最良の実施形態を、図面に基づいて説明する。
【実施例１】
【００２４】
図１は、本発明に係る塀の一実施形態について、施工中の塀を示す斜視図、図２は本発明に係る塀のパネル用上下横枠材の一実施形態の斜視図である。また、図３は図２のパネル用上下横枠材の断面図、図４は図１におけるA−A間の断面を示した斜視図、そして図５は本発明に係る塀の施工完成正面概略図である。
【００２５】
図１に示すとおり、塀１は、適宜間隔を置いて立設された複数の支柱２と、２本の支柱２間に配設され縦方向に連設される複数枚のパネル３から構成されている。この塀を施工する際、先ずは支柱２が立設される。続いて、複数枚のパネル３を前記支柱２間に順次配設してゆき、最上段のパネル３を配設したのちに、固定手段４０１によって、パネル３を支柱２に固定して施工を完了する。
【００２６】
この実施形態においては、支柱２は断面略Ｈ型の支柱であり、当該支柱２のフランジ２１間が取付溝２２を構成している。この取付溝２２内にパネル３を嵌挿することによって、パネル３を配設することができる。尚、このフランジ２１は、施工中には配設されたパネル３の厚み方向への動きあるいは傾きを制限するものであって、これにより配設されるパネル３の係止状態を安定させることが可能となる。
【００２７】
パネル３は、パネル本体３５と、上横枠材３１、下横枠材３２、およびパネル左右一対の縦枠材３３，３４からなり、前記上横枠材３１と下横枠材３２、および縦枠材３３，３４は、矩形枠状に形成されパネル枠体を構成している。また、図４に示すとおり、当該パネル枠体の内周面に設けられた嵌入溝３００にパネル本体３５の四辺を嵌入、保持させ、これによってパネル３を構成している。
【００２８】
パネル本体３５は、アルミなどの金属又は樹脂、木材、或いはそれらの複合材料などにより成型されるものであって、設置場所や環境、要求性能などによって好適に選定されてよい。また、前記上下横枠材３１，３２、および縦枠材３３，３４についても同様に適宜好適なものを選定してよく、例えばアルミ型材によって成型されたもので、寸法制度や外観に優れたものである。
【００２９】
図２は、本発明に係る塀のパネル用上横枠材３１および下横枠材３２の一実施形態であり、上横枠材３１および下横枠材３２は、同一形状の枠材で構成されている。この上横枠材３１および下横枠材３２は、その長手方向の中心軸線を中心に１８０度回転させることによって、上横枠材３１または下横枠材３２のいずれとしても利用できるものである。
【００３０】
また、図２および図３に示す通り、前記上下横枠材３１，３２の外周面には同一形状の係合部３１１，３２１が設けられている。これによって、連設される下側パネル３の上横枠材３１の係合部３１１と上側パネル３の下横枠材３２の係合部３２１が当接、係合することとなる。
【００３１】
この実施形態においては、上横枠材３１の係合部３１１は、上横枠材３１の外周面の長手方向全長にわたってパネル厚み方向半分を略Ｌ字型に切り欠いて凹条部３１１ａを形成することにより、他方の半分に突条部３１１ｂが形成されるようにした略階段状の段差形状となっている。また、下横枠材３２についても上横枠材３１と同一形状を有しており、下横枠材３２の係合部３２１は、下横枠材３２の外周面の長手方向全長にわたって厚み方向半分に凹条部３２１ａを形成することにより、他方の半分に突条部３２１ｂが形成されるようにした略階段状の段差形状となっている。
【００３２】
これにより、連設される下側パネル３の上横枠材３１の凹条部３１１ａと上側パネル３の下横枠材３２の突条部３２１ｂとが当接し、下側パネル３の上横枠材３１の突条部３１１ｂと上側パネル３の下横枠材３２の凹条部３２１ａとが当接して上下パネル３，３が係合するようになる。
【００３３】
さらに、この実施形態においては、上横枠材３１の凹条部３１１ａと突条部３１１ｂ、および下横枠材３２の凹条部３２１ａと突条部３２１ｂのそれぞれの中間部を斜面形状として傾斜部３１１ｃ，３２１ｃを形成している。パネル３を連設する際、下側パネル３の上横枠材３１の傾斜部３１１ｃと上側パネル３の下横枠材３２の傾斜部３２１ｃが当接するので、パネルの配設がよりスムーズかつ安全に行えるようになる。すなわち、傾斜部３１１ｃ，３２１ｃが、斜面形状を有しかつ厚み方向に一定の幅を有することによって、既に配設された下側のパネル３が厚み方向に多少傾いていても、当該傾斜部３１１ｃと、連設される上側パネル３の傾斜部３２１ｃとが当接して相互に摺動することにより、最終的に上横枠材３１の凹条部３１１ａと突条部３１１ｂが、それぞれ下横枠材３２の突条部３２１ｂと凹条部３２１ａに当接、係合して上下パネル３，３がスムーズに連設されるのである。
【００３４】
ところで、図３から明らかなように、この実施形態においては、上下横枠材３１，３２に形成した係合部３１１，３２１により、パネルが施工される際の上横枠材３１の矢印Ｐ方向への動きが制限され、下横枠材３２の矢印Ｑ方向への動きが制限されるが、さらに図１に示す通り、支柱２を断面H型としたことで、支柱２のフランジ２１，２１によってパネルの厚み方向への動きが制限される。このような構成をとれば、前記係合部３１１，３２１と前記フランジ２１，２１との双方の作用により、配設される複数のパネルの厚み方向の動き（傾きあるいはズレ）が制限されるとともに、前記傾斜部３１１ｃ，３２１ｃの作用によって、高い施工性が確保される。また、このような構成をとることによって、前記上下横枠材３１，３２の係合部は非常に単純な形状とすることができ、かつ上下横枠材兼用の枠材を使用できるので、製造コスト面でも非常に有利となる。
【００３５】
なお、この実施形態では、上述のとおり上下横枠材３１，３２のパネルの厚み方向に半分ずつをそれぞれ凹条部３１１ａ，３２１ａおよび突条部３１１ｂ，３２１ｂとすることによって、パネル配設時に上下パネル３，３は厚み方向にほとんどズレなく施工でき同一平面を形成できるようにしている。しかしながら、前記半分という割合に限定されることなく、これを変えることによって上下パネル３，３の連設面間に段差を形成し、意匠的に優れた塀を形成するようにすることもできる。
【００３６】
また、この係合部の形状を複雑にして、上下パネルが配設されたときにパネルの両厚み方向への動きが制限される形状とすれば、上下パネル間の係止状態はより安定し、さらに安全な塀の施工が可能となる。
【実施例２】
【００３７】
図６は、本発明に係る塀の別の実施形態の一部を示す分解斜視図である。この実施形態では、パネル左右の縦枠材３３，３４の外周面、すなわち支柱２と対向する面が、支柱２方向に開放する断面略コの字型の形状となっており、支柱係合部３３１，３４１を形成している。また、支柱２には、パネル３と係合する面に、フランジ部２３１，２３１を形成した複数のパネル保持部２３が設けられている。パネル３を配設するときには、パネルの支柱係合部３３１ないし３４１が、支柱２に設けたパネル保持部２３のフランジ部２３１に対して外嵌合する。なお、この実施形態においても、パネル３の上下横枠材３１，３２には、それぞれ凹条部および突条部、並びに凹条部と突条部との中間には傾斜部が形成され、これによって係合部を構成している。
【００３８】
この実施形態においても、パネル３を縦方向へ順に配設してゆき、最終的に固定金具等（図示せず）によりパネル３を支柱に固定するが、支柱２とパネル３のそれぞれに、他方へ係合するパネル保持部２３および係合部３３１，３４１を設けたことによって、パネルの厚み方向の動きが適切に制限されることになるので、スムーズな施工が確保される。また、上記保持部および係合部３３１，３４１と、実施例１と同様の係合部３１１との作用によって、よりスムーズかつ安全な施工が実現される。
【００３９】
さらに、支柱２のパネル保持部２３を縦方向に一定距離をおいて複数設けることにより、必ずしもパネル３を上方から嵌挿させる必要はなく、側面下方から嵌挿させることもできる。このようにすれば、パネルを高く連設する場合であっても、施工が容易になる。
【図面の簡単な説明】
【００４０】
【図１】本発明に係る塀の施工中の状態を示す斜視図である。
【図２】本発明に係る塀のパネル用上下横枠材の一実施形態を示す斜視図である。
【図３】図２のパネル用上下横枠材の断面図である。
【図４】図１におけるＡ−Ａ間の断面を示す斜視図である。
【図５】本発明に係る塀の施工完了状態を示す正面概略図である。
【図６】本発明の別の実施形態の一部を示す分解斜視図である。
【符号の説明】
【００４１】
１  塀
２  支柱
３  パネル
３１  上横枠材
３２  下横枠材
３３，３４  左右縦枠材
３５  パネル本体
３００  嵌入溝
３１１  係合部
３１１ａ，３２１ａ  凹条部
３１１ｂ，３２１ｂ  突条部
３１１ｃ，３２１ｃ  傾斜部
【図１】
0005379968.tif 000002
【図２】
0005379968.tif 000003
【図３】
0005379968.tif 000004
【図４】
0005379968.tif 000005
【図５】
0005379968.tif 000006
【図６】
0005379968.tif 000007